(57)【特許請求の範囲】
【請求項１】
所定のコード体系における各記号コードにそれぞれ対応する複数の記号フォントデータを記憶する記憶部と、入力した記号コードデータによって特定される前記記号コードに対応する前記記号フォントデータを前記記憶部から読み出すと共に当該読み出した前記記号フォントデータに基づく前記記号を表示部に表示させる制御部とを備えて構成されている測定装置において、
前記所定のコード体系に従い外部装置によって生成された前記記号コードデータを通信ラインまたは記録媒体を介して入力すると共に当該入力した記号コードデータを前記制御部に出力するデータ入力部を備えていることを特徴とする測定装置。
【請求項２】
所定のコード体系における各記号コードにそれぞれ対応する複数の記号フォントデータを記憶する記憶部と、入力した記号コードデータによって特定される前記記号コードに対応する前記記号フォントデータを前記記憶部から読み出すと共に当該読み出した前記記号フォントデータに基づく前記記号を印刷部に印刷させる制御部とを備えて構成されている測定装置において、
前記所定のコード体系に従い外部装置によって生成された前記記号コードデータを通信ラインまたは記録媒体を介して入力すると共に当該入力した記号コードデータを前記制御部に出力するデータ入力部を備えていることを特徴とする測定装置。
【発明の詳細な説明】
【０００１】
【発明の属する技術分野】
本発明は、測定タイトルや測定結果に関する注釈などの文字や数字を含む記号についての表示部上での表示や印刷部による印刷を可能に構成された測定装置に関するものである。
【０００２】
【従来の技術】
この種の測定装置として、出願人は図１０に示す波形表示装置６１を既に開発している。この波形表示装置６１は、複数の測定用プローブを備え、その複数の測定用プローブに予め対応させた複数のチャンネルにおけるアナログ信号波形やディジタル信号波形を表示したり印刷したりすることができるように構成されている。具体的な構成としては、波形表示装置６１は、表示対象信号の信号波形や後述するコメント設定用画面などを表示する表示部３と、表示部３に表示された信号波形などを印刷する図外のプリンタと、各種操作を行うための複数のキーが配設された操作部２とを備えている。
【０００３】
操作部２には、同図に示すように、ファンクションキー部５、カーソル移動キー部６、ＳＹＳＴＥＭキー７、ＤＩＳＰキー８などが配設されている。ファンクションキー部５は、装置の動作状況に応じて様々な機能が割り付けられると共に、割り付けられた機能を示す機能表示が各キーに対応して表示部３にそれぞれ表示される各キー５ａ〜５ｅを備えている。カーソル移動キー部６は、表示部３に表示されるカーソルを上下左右に移動させるためのキー６ａ〜６ｄを備えている。ＳＹＳＴＥＭキー７は、コメント設定用画面などを表示部３に表示させる機能を有し、ＤＩＳＰキー８は、表示対象信号の信号波形などを表示部３に表示させる機能を有している。
【０００４】
この波形表示装置６１では、測定のタイトルや、各チャンネルに対応する表示対象信号に関する説明などのコメント（以下、総称して、「コメント」ともいう）を表示部に表示させたりプリンタに印刷させたりすることができるようになっている。具体的には、表示部３の表示部位３ａには、測定タイトルに関するコメント（以下、「タイトルコメント」ともいう）を表示でき、表示部位３ｂには、アナログチャンネルの各チャンネルｃｈ１〜ｃｈ４に関する各コメント（以下、「アナログチャンネルコメント」ともいう）またはチャンネルｃｈ１〜ｃｈ４をそれぞれ有するロジックチャンネルの各チャンネルＡ〜Ｄに関する各コメント（以下、「ロジックチャンネルコメント」ともいう）を表示できるようになっている。この場合、各コメントは、全角文字や半角文字などを任意に組み合わせて表示することができる。
【０００５】
これらのコメントを入力するには、まず、操作部２のＳＹＳＴＥＭキー７を操作することにより、図１１に示すコメント設定用画面６２を表示部３に表示させる。同図では、タイトルコメントおよびアナログチャンネルコメントが、タイトルコメント欄およびアナログチャンネルコメント欄にそれぞれ表示されている状態を示しているが、各コメントが入力されていない状態では、両コメント欄は空白に表示され、カーソル３０が、タイトルコメント欄に表示される。また、同図では、タイトルコメント欄およびチャンネルｃｈ１〜ｃｈ４に対応するチャンネルコメント欄が表示されているが、数多くのチャンネルを設けると共にファンクションキー部５のキー５ｂ，５ｄなどを操作することにより、他の任意のチャンネルコメント欄を表示させるようにしてもよい。
【０００６】
次いで、「自動車（形式Ａ−１）  第２回  測定」というコメントをタイトルコメントとして表示させる例について説明する。
【０００７】
最初に、カーソル３０がタイトルコメント欄の上段を示している状態において、ファンクションキー部５のキー５ａを操作することにより、図１２に示すコメント入力用画面６３を表示部３に表示させる。次いで、「自」という文字をコメント入力部６４に表示させる。具体的には、まず、キー５ｂを操作することにより、ひらがな・カタカナ・漢字の選択候補を記号候補表示部６５に表示させる。次に、カーソル移動キー部６の各キー６ａ〜６ｄを操作することによりカーソル３０を次候補表示部位６５ａに移動させた後、記号候補表示部６５に「自」という文字が表示されるまでキー５ａを複数回操作する。記号候補表示部６５に「自」を含む選択候補群が表示されたならば、各キー６ａ〜６ｄを操作することによりカーソル３０を「自」に移動させた後、キー５ａを操作することにより、「自」をコメント入力部６４に表示させる。図１２は、このときの状態を示している。なお、キー５ｄを操作することによって、ＪＩＳコード入力による文字選択も可能である。
【０００８】
次に、カーソル３０を次候補表示部位６５ａに移動し、上記した操作と同様にして「動」および「車」をコメント入力部６４に表示させる。次いで、キー５ｃを操作することにより、英字・数字・記号の選択候補群を記号候補表示部６５に表示させた後に「（」を選択する。同様にして、「型」、「式」、・・「）」を順に選択する。これにより、コメント入力部６４には、「自動車（形式Ａ−１）」というコメントが表示される。次いで、キー５ｅを操作することにより、コメント入力を終了し、図１１に示すコメント設定用画面６２のタイトルコメント欄の上段に「自動車（形式Ａ−１）」というコメントが表示される。同様にして、タイトルコメント欄の下段、およびチャンネルコメント欄についても必要に応じて記号を入力する。すべてのコメントを入力した後にキー５ｅを操作することにより、コメント設定用画面６２の各コメント欄に表示されているコメントが確定する。次いで、操作部２のＤＩＳＰキー８を操作することにより、図９に示すように、信号波形および入力したコメントを含む信号波形表示用画面３５が表示部３に表示される。また、所定の操作を行うことにより、図１０に示すように、表示部３に表示されている信号波形表示用画面３５をプリンタによって記録紙Ｐ印刷させることもできる。
【０００９】
【発明が解決しようとする課題】
ところが、出願人が既に開発した波形表示装置６１には、以下のような改善すべき点がある。
すなわち、波形表示装置６１は、前述した操作によって表示部３に表示させたり、プリンタに印刷させたりするコメントを入力することができる。しかし、各コメントの各記号を記号候補表示部６５から１文字ずつ選択したり各文字に対応する記号コードを１文字ずつ選択したりしてコメント入力部６４に表示させなければならない。このため、コメントの入力操作が煩雑であり、しかもコメントの入力に長時間を要してしまう。したがって、測定者によっては、漢字やかな文字などを用いたコメント表示やコメント印刷が可能であるにも拘わらず、コメント入力作業を短縮するために、コメントを略したりコメント表示自体を省いたりしているというのが実状である。
【００１０】
一方、かな漢字変換プログラムが測定装置に予め組み込まれていれば、そのかな漢字変換プログラムを使用して各コメントを迅速に入力することも可能である。しかし、このような場合には、測定装置専用のかな漢字変換プログラムを開発しなければならないために、開発コストが高騰するという問題点がある。また、そのプログラムを記憶させるために大容量のメモリを必要とするために装置コストが上昇すると共に、記号を入力するための操作用キーボードなどを配設しなければならず、装置の大型化および高コスト化を招くという問題点もある。
【００１１】
本発明は、かかる改善すべき点に鑑みてなされたものであり、装置の大型化および高価格化を招くことなく、迅速かつ容易にコメントを入力することが可能な測定装置を提供することを主目的とする。
【００１２】
【課題を解決するための手段】
上記目的を達成すべく請求項１記載の測定装置は、所定のコード体系における各記号コードにそれぞれ対応する複数の記号フォントデータを記憶する記憶部と、入力した記号コードデータによって特定される記号コードに対応する記号フォントデータを記憶部から読み出すと共に読み出した記号フォントデータに基づく記号を表示部に表示させる制御部とを備えて構成されている測定装置において、所定のコード体系に従い外部装置によって生成された記号コードデータを通信ラインまたは記録媒体を介して入力すると共に入力した記号コードデータを制御部に出力するデータ入力部を備えていることを特徴とする。
なお、本発明における「記号」には、文字、数字、句読点などの記号が含まれる。
【００１３】
また、請求項２記載の測定装置は、所定のコード体系における各記号コードにそれぞれ対応する複数の記号フォントデータを記憶する記憶部と、入力した記号コードデータによって特定される記号コードに対応する記号フォントデータを記憶部から読み出すと共に読み出した記号フォントデータに基づく記号を印刷部に印刷させる制御部とを備えて構成されている測定装置において、所定のコード体系に従い外部装置によって生成された記号コードデータを通信ラインまたは記録媒体を介して入力すると共に入力した記号コードデータを制御部に出力するデータ入力部を備えていることを特徴とする。
【００１４】
請求項１，２記載の測定装置では、例えば、かな漢字変換プログラムを備えた外部装置を使用することによって、測定装置の表示部に表示させたり印刷させたりするための記号コードデータを予め生成する。次いで、生成した記号コードデータを通信ラインまたは記録媒体を介して測定装置のデータ入力部に入力させる。これにより、データ入力部は、記号コードデータを制御部に出力する。次いで、制御部は、入力した記号コードデータによって特定される記号コードに対応する記号フォントデータを記憶部から読み出すと共に読み出した記号フォントデータに基づく記号についての表示部に対する表示制御または印刷部に対する印刷制御を実行する。したがって、記号候補表示部６５から１文字ずつ選択する波形表示装置６１とは異なり、迅速かつ容易に記号を入力することが可能となる。
【００１５】
【発明の実施の形態】
以下、添付図面を参照して、本発明に係る測定装置を波形表示装置に適用した実施の形態について説明する。なお、出願人が既に開発している波形表示装置６１と同一の構成要素については同一の符号を付して重複した説明を省略する。
【００１６】
最初に、図８，１０を参照して、波形表示装置１の構成について説明する。
【００１７】
同図に示すように、波形表示装置１は、操作部２，表示部３、プリンタ４、入力信号処理部１０、ＣＰＵ１１、ＲＯＭ１２、ＲＡＭ１３、インタフェース部１４、ＦＤドライブ１５を備えて構成されている。
【００１８】
表示部３は、ＬＣＤパネルで構成されているが、これに限定されず、ブラウン管（ＣＲＴ）などを用いることができる。プリンタ４は、特に限定されないが、サマールプリンタで構成されており、ＣＰＵ１１の制御下で、表示部３に表示されている表示対象信号の信号波形や、表示画面のハードコピーなどを印刷する。入力信号処理部１０は、入力した表示対象の入力信号ＳINから波形データＤS を生成し、ＣＰＵ１１に出力する。ＣＰＵ１１は、本発明における制御部に相当し、タイトルコメントなどの表示部３に対する表示制御やプリンタ４に対する印刷制御を実行するほか、インタフェース部１４に接続された外部装置との間の通信制御、および操作部２の各種キーの操作によるキー信号の入力制御などを実行する。ＲＯＭ１２は、本発明における記憶部に相当し、特に限定されないが、ＪＩＳコード体系における各記号コードにそれぞれ対応する文字などの記号フォントデータを、その記号コードに対応して記憶すると共に、ＣＰＵ１１の動作プログラムなども記憶する。ＲＡＭ１３は、ＣＰＵ１１の演算結果や、外部装置としてのパーソナルコンピュータ１７から入力したコメントデータなどを一時的に記憶する。
【００１９】
インタフェース部１４は、本発明におけるデータ入力部に相当し、例えば、パーソナルコンピュータ１７などの外部装置に接続するためのＧＰ−ＩＢ通信基板が装着されている。ＦＤドライブ１５は、本発明におけるデータ入力部に相当し、特に限定されないが、本実施例では、３．５インチのフロッピーディスクに対応したフロッピーディスクドライブによって構成され、例えば、フロッピーディスク１８に書き込まれたデータを読み込んだり、様々なデータをフロッピーディスク１８に書き込んだりすることができる。
【００２０】
パーソナルコンピュータ１７は、本発明における外部装置に相当し、かな漢字変換プログラム、および後述するコメント入力プログラムが予めインストールされている。したがって、コメント入力プログラムを起動した状態において、かな漢字変換プログラムを同時に起動することによって、波形表示装置１にコメントを表示させたりするための記号コードデータを生成することができる。一方、フロッピーディスク１８は、本発明における記録媒体に相当し、波形表示装置１のＦＤドライブ１５および上記したパーソナルコンピュータ１７において相互に読み書き可能に初期化された３．５インチフロッピーディスクが用いられている。
【００２１】
次に、図６を参照してコメント入力処理について説明する。
【００２２】
この処理は、パーソナルコンピュータ１７を使用して、波形表示装置１の表示部３に表示させるコメント、およびプリンタ４に印刷させるコメントを入力する処理であって、最初に、パーソナルコンピュータ１７にインストールされているコメント入力プログラムおよびかな漢字変換プログラムを起動する（ステップ４１）。この状態では、図１に示すように、コメントを入力するためのコメント入力用画面２１がパーソナルコンピュータ１７のディスプレイに表示され、コメント入力用画面２１には、タイトルコメント入力欄２２、アナログチャンネルコメント入力欄２３、ロジックチャンネルコメント入力欄２４、コメントクリアボタン２５、ＦＤ用操作画面２６、およびＧＰ−ＩＢ用操作画面２７などが表示される。この場合、コメントクリアボタン２５は、各コメント入力欄に表示されているコメントを消去する際に用いられる。ＦＤ用操作画面２６は、入力したコメントのコメントデータをフロッピーディスク１８を介して波形表示装置１に読み込ませる場合に各種の設定を行うために用いられる。また、ＧＰ−ＩＢ用操作画面２７は、ＧＰ−ＩＢ通信規格に従って、入力したコメントを通信ケーブルを介して波形表示装置１に直接送信する場合に各種の設定を行うために用いられる。
【００２３】
次に、かな漢字変換プログラムを使用することにより、タイトルコメント、アナログチャンネルコメント、およびロジックチャンネルコメントをコメント入力用画面２１上で入力する（ステップ４２）。なお、同図は、タイトルコメント、アナログチャンネルｃｈ１，ｃｈ２のチャンネルコメント、およびロジックチャンネルのｃｈＡ１，ｃｈＡ２のロジックチャンネルコメントが既に入力されている状態を示しているが、コメント入力プログラムの起動直後では、各コメント入力欄が空白で、カーソル２９は、タイトルコメント入力欄２２の位置に表示される。
【００２４】
次いで、コメント入力用画面２１が表示されている状態で、キーボードを操作することにより、例えば、かな入力によって「じどうしゃ」と入力した後、キーボードの変換キーを操作する。これにより、入力された文字が、かな漢字変換プログラムによって変換され、変換された「自動車」がタイトルコメント入力欄２２に表示される。同様にして、キーボードを操作することにより、アナログチャンネルコメント入力欄２３およびロジックチャンネルコメント入力欄２４に任意のコメントを入力することにより、同図に示すように、漢字変換されたコメントが各コメント入力欄２２〜２４に表示される。
【００２５】
次に、入力したコメントをフロッピーディスクを介して波形表示装置１に入力するか、ＧＰ−ＩＢ通信によって転送するかを選択する（ステップ４３）。フロッピーディスクにコメントデータを保存する場合には、パーソナルコンピュータ１７のＦＤドライブに、フロッピーディスク１８を挿入する。次いで、フロッピーディスク１８を挿入したドライブ名をＦＤ用操作画面２６のドライブ名入力部２６ａに入力すると共に、保存するファイルのファイル名、例えば「自動車１」をファイル名入力部２６ｂに入力する。入力完了の後、コメント保存ボタン２６ｃを操作することにより、コメント入力プログラムによって、各コメントデータを構成する記号コードデータが「自動車１」というファイル名でフロッピーディスク１８に保存される（ステップ４４）。この場合、ファイル内に書き込まれる各コメントデータの順序と、表示部３の表示画面に表示される位置とが予め対応付けられており、後述する波形表示装置１のＣＰＵ１１によるコメントデータ入力処理の際には、ＣＰＵ１１は、ファイルに書き込まれているコメントデータの表示部３に表示させる位置をも認識することができる。
【００２６】
一方、上記したステップ４３において、入力したコメントデータをＧＰ−ＩＢ通信によって波形表示装置１に転送する場合には、波形表示装置１とパーソナルコンピュータ１７とをＧＰ−ＩＢ通信規格に従って接続する。次に、使用するアドレス番号をＧＰ−ＩＢ用操作画面２７のＧＰ−ＩＢアドレス入力部２７ａに入力する。続いて、波形表示装置１をＧＰ−ＩＢによるデータ転送を待機する状態に設定した後に、データ転送開始ボタン２７ｂを操作する。これにより、コメント入力用画面２１の各コメント入力欄２２〜２４に入力された各コメントデータが、ＧＰ−ＩＢ通信によって波形表示装置１に転送される（ステップ４５）。
【００２７】
次に、波形表示装置１におけるコメントデータ入力処理について説明する。
【００２８】
この処理は、パーソナルコンピュータ１７によって入力したコメントを波形表示装置１に入力する処理であって、最初に、波形表示装置１に対して図２に示すコメント設定用画面３１を表示部３に表示させる（ステップ５１）。同図は、各種コメントが既に入力されている状態を示しているが、コメントデータ入力処理が終了していない状態では、各コメント欄は空白で、カーソル３０は、タイトルコメントのコメント欄に表示されている。また、ファンクションキー部５の各キー５ａ，５ｂ，５ｄ，５ｅについては、出願人が既に開発した波形表示装置６１と同様の機能が割り付けられ、キー５ｃには、図３に示すデータ入力方法選択用画面３２を表示部３に表示させる機能が割り付けられると共に、各キー５ａ〜５ｅの機能を示す機能表示３６ａ〜３６ｅが各キー４ａ〜５ｅに対応して表示部３にそれぞれ表示される。
【００２９】
次に、キー５ｃを操作することにより、データ入力方法選択用画面３２を表示部３に表示させる。この状態では、特に限定されないが、図３に示すように、外部装置（例えば、パーソナルコンピュータ１７）によって生成されたコメントデータを入力するための２種類の入力方法が表示される。ここで、フロッピーディスク１８を介しての入力方法およびＧＰ−ＩＢ通信によっての入力方法のいずれか一方を選択する（ステップ５２）。
【００３０】
フロッピーディスク１８を介してコメントデータを読み込む場合には、コメントデータを記録したフロッピーディスク１８を、波形表示装置１のＦＤドライブ１５に挿入する（ステップ５３）。次に、カーソル３０によってデータ入力方法選択用画面３２の「コメントをＦＤから読み込む」を選択した後、キー５ａを操作することにより、図４に示す読込ファイル選択用画面３３を表示部３に表示させる。同図は、「バイク１」「バイク２」「自動車１」「自動車２」という４つのファイル名のコメントデータがフロッピーディスク１８に保存されている状態を示している。ここで、ファイル名「自動車１」を読み込む場合には、カーソル３０によって「自動車１」を選択した後、キー５ａを操作することにより、ファイル名「自動車１」のコメントデータが、ＦＤドライブ１５を介して波形表示装置１のＣＰＵ１１によって読み込まれると共にＲＡＭ１３に記録される（ステップ５４）。なお、コメントデータの入力を完了した際には、図２に示すように、入力したコメントがコメント設定用画面３１の各コメント欄にそれぞれ表示され、この後、キー５ｅを操作することによって各コメントが確定する。
【００３１】
一方、上記したステップ５２において、ＧＰ−ＩＢ通信による入力方法を選択する場合には、図３に示すデータ入力方法選択用画面３２において、カーソル移動キー部６のキー６ｂによってカーソル３０を移動させることにより、「コメントをＧＰ−ＩＢにより受信」を選択する。次いで、ファンクションキー部５のキー５ａを操作することにより、波形表示装置１が受信待機状態になり、図５に示すように、「コメントを転送して下さい・・・」と表示されたメッセージ画面３４が表示部３に表示される。この状態で、パーソナルコンピュータ１７によるコメント入力処理におけるステップ４５において説明したように、ＧＰ−ＩＢ用操作画面２７のデータ転送開始ボタン２７ｂを操作する。これにより、パーソナルコンピュータ１７上で生成されたコメントデータが転送され、コメントデータは、波形表示装置１におけるインタフェース部１４のＧＰ−ＩＢ通信ボードを介してＣＰＵ１１によって受信された後に、ＲＡＭ１３に記録される（ステップ５６）。この場合、ＣＰＵ１１は、ＲＡＭ１３に書き込むコメントデータとしての記号コードデータの順序と、表示部３の表示画面に表示する位置とを対応付けて記録する。
【００３２】
次いで、上記したステップ５４，５６においてＲＡＭ１３にコメントデータを記録させた後、ＣＰＵ１１は、操作部２のＤＩＳＰキー８が操作されたときには、図９に示す信号波形表示用画面３５を表示部３に表示させる。この際に、ＣＰＵ１１は、各コメントデータを構成する記号コードに対応する記号フォントデータをＲＯＭ１２から読み出し、読み出した記号フォントデータに基づいて表示部３の表示部位３ａ，３ｂに、タイトルコメント、アナログチャンネルコメントおよびロジックチャンネルコメントを表示する（ステップ５５，５７）。また、プリンタ４によって表示部３のハードコピーを印刷する際には、ＣＰＵ１１は、表示部位３ａ，３ｂに表示されているコメントと同じようにして、ＲＯＭ１２から記号フォントデータを読み出した後、プリンタ４によって印刷させる。
【００３３】
以上のように、この波形表示装置１によれば、出願人が既に開発した波形表示装置６１において１文字ずつコメントを設定する場合と比較して、コメント入力プログラムおよびかな漢字変換プログラムがインストールされたパーソナルコンピュータ１７を用いることにより、迅速かつ容易にコメントを波形表示装置１に入力することができる。
【００３４】
なお、本実施形態では、ＧＢーＩＢ通信規格による通信でコメントデータを入力する例を説明したが、ＲＳ−２３２Ｃ通信など種々の通信方式を用いてコメントデータを波形表示装置１に入力させることができる。また、本発明における記録媒体についても、３．５インチフロッピーディスクに限らず、２インチや５インチなどフロッピーディスクや、ＭＯ（光磁気ディスク）、ＪＡＺ（リムーバブルハードディスク）などの種々の記録媒体で構成することができる。さらに、本発明における外部装置は、本実施の形態で示したパーソナルコンピュータ１８に限らず、ワードプロセッサなどで構成することもできる。また、コメントデータを波形表示装置１に入力するためのコメント入力プログラムについては、表示形式など適宜変更することができるし、汎用のエディタやワープロソフトなどを用いることができる。さらに、本発明の実施の形態では、波形表示装置１の表示部３にコメントを表示させる例について説明したが、本発明は、これに限定されず、プリンタ４によって印刷する際のコメントのみを入力させるようにしてもよいし、表示部３に表示させるコメントとプリンタ４によって印刷するコメントとを別個に入力できるように構成してもよい。
【００３５】
【発明の効果】
以上のように、請求項１および請求項２記載の測定装置によれば、所定のコード体系に従った記号コードデータを外部装置に生成させ、生成した記号コードデータを測定装置に入力することにより、装置の大型化および高価格化を招くことなく、かなや漢字などの記号に対応する記号コードデータを迅速かつ容易に作成することができる。
【図面の簡単な説明】
【図１】本発明の実施の形態に係るパーソナルコンピュータのディスプレイにコメント入力用画面が表示されている状態の表示画面図である。
【図２】本発明の実施の形態に係る波形表示装置の表示部にコメント設定用画面が表示されている状態の表示画面図である。
【図３】本発明の実施の形態に係る波形表示装置の表示部にデータ入力方法選択用画面が表示されている状態の表示画面図である。
【図４】本発明の実施の形態に係る波形表示装置の表示部に読込ファイル選択用画面が表示されている状態の表示画面図である。
【図５】本発明の実施の形態に係る波形表示装置の表示部にメッセージ画面が表示されている状態の表示画面図である。
【図６】本発明の実施の形態に係るパーソナルコンピュータによるコメント入力処理を示すフローチャートである。
【図７】本発明の実施の形態に係る波形表示装置によるコメントデータ入力処理を示すフローチャートである。
【図８】本発明の実施の形態に係る波形表示装置の電気的構成を示すブロック図である。
【図９】本発明の実施の形態に係る波形表示装置の表示部にコメントおよび表示対象信号の両者を表した信号波形表示用画面が表示されている状態の表示画面図である。
【図１０】本発明の実施の形態に係る波形表示装置１および出願人が既に開発している波形表示装置６１の外観図である。
【図１１】出願人が既に開発している波形表示装置の表示部にコメント設定用画面が表示されている状態の表示画面図である。
【図１２】出願人が既に開発している波形表示装置の表示部にコメント入力用画面が表示されている状態の表示画面図である。
【符号の説明】
１  波形表示装置
３  表示部
４  プリンタ
１１  ＣＰＵ
１２  ＲＯＭ
１４  インタフェース部
１５  ＦＤドライブ
１７  パーソナルコンピュータ
１８  フロッピーディスク
【図１】
0004098861.tif 000002
【図２】
0004098861.tif 000003
【図３】
0004098861.tif 000004
【図４】
0004098861.tif 000005
【図５】
0004098861.tif 000006
【図６】
0004098861.tif 000007
【図７】
0004098861.tif 000008
【図８】
0004098861.tif 000009
【図９】
0004098861.tif 000010
【図１０】
0004098861.tif 000011
【図１１】
0004098861.tif 000012
【図１２】
0004098861.tif 000013